(57)【要約】【課題】ペアリングを確実に行うことができる照明器具等を提供する。【解決手段】本実施の形態に係る照明器具Ｌ（例えば照明器具Ｌ１１）では、光源１７と、予め決められた音波データを記憶する記憶部１６と、音ｓｗを検知するマイクロフォン１２と、親機コントローラ３０と通信する通信部１１と、通信部１１を介して親機コントローラ３０とペアリングを行う制御部１５とを備え、制御部１５は、マイクロフォン１２で検知した音ｓｗから音波データを取得し、取得した音波データと記憶部１６に記憶されている音波データとが一致する場合に、ペアリングを行う。【選択図】図２
2018186472.tif 000002
【特許請求の範囲】
【請求項１】
光源と、
予め決められた音波データを記憶する記憶部と、
音を検知するマイクロフォンと、
親機コントローラと通信する通信部と、
前記通信部を介して前記親機コントローラとペアリングを行う制御部と
を備え、
前記制御部は、前記マイクロフォンで検知した前記音から音波データを取得し、前記取得した音波データと前記記憶部に記憶されている音波データとが一致する場合に、前記ペアリングを行う
照明器具。
【請求項２】
さらに、前記光源を覆うように配置されたグローブを備え、
前記マイクロフォンは、前記グローブから見て前記光源側に設けられている
請求項１に記載の照明器具。
【請求項３】
前記マイクロフォンは、前記マイクロフォンの前記音を検知する検知領域が前記照明器具の光の照射領域内に位置するように、設けられている
請求項１または２に記載の照明器具。
【請求項４】
前記制御部は、前記ペアリングが終了した場合に、前記ペアリングを行う前の点灯状態と異なる点灯状態となるように、前記光源を制御する
請求項１〜３のいずれか１項に記載の照明器具。
【請求項５】
前記制御部は、前記マイクロフォンで検知した前記音からノイズをキャンセルし、前記音波データを取得する
請求項１〜４のいずれか１項に記載の照明器具。
【請求項６】
音を発信する情報端末と、複数の照明器具と、前記複数の照明器具を制御する親機コントローラとを備える照明システムであって、
前記複数の照明器具のそれぞれは、光源と、予め決められた音波データを記憶する記憶部と、前記情報端末から発信される前記音を検知するマイクロフォンと、前記親機コントローラと通信する通信部と、前記通信部を介して前記親機コントローラとペアリングを行う制御部とを有し、
前記照明器具の前記制御部は、前記マイクロフォンで検知した前記音から音波データを取得し、前記取得した音波データと前記記憶部に記憶されている音波データとが一致する場合に、前記ペアリングを行う
照明システム。
【請求項７】
前記情報端末は、前記情報端末の位置を検出する位置センサを有し、前記位置センサの位置情報に基づいて得られる前記照明器具の位置情報を前記音に含めて発信し、
前記照明器具の前記制御部は、前記マイクロフォンで検知した前記音に含まれる前記照明器具の位置情報を、前記通信部を介して前記親機コントローラに送信する
請求項６に記載の照明システム。
【請求項８】
前記情報端末は、前記情報端末の位置を検出する位置センサを有し、前記位置センサの位置情報に基づいて得られる前記照明器具の位置情報を前記親機コントローラからの要求により発信し、前記照明器具の位置情報を、前記親機コントローラに送信する
請求項６に記載の照明システム。
【請求項９】
前記情報端末は、前記情報端末の位置を検出する位置センサを有し、
前記照明器具の前記制御部は、前記位置センサの位置情報に基づいて得られる前記照明器具の位置情報と、建物における前記複数の照明器具のレイアウト情報から得られる前記照明器具の位置情報とが一致する場合に、前記ペアリングを行う
請求項６〜８のいずれか１項に記載の照明システム。
【請求項１０】
前記照明器具の前記制御部は、前記音に含まれる前記音波データの音圧を取得し、前記通信部を介して前記音圧に関する情報を前記親機コントローラに送信し、
前記親機コントローラは、前記複数の照明器具から前記音圧に関する情報を取得した場合に、前記複数の照明器具のうち取得した音圧が高い照明器具とペアリングを行う
請求項６〜８のいずれか１項に記載の照明システム。
【請求項１１】
情報端末と、複数の照明器具と、前記複数の照明器具を制御する親機コントローラとを備える照明システムのペアリング方法であって、
前記情報端末を用いて、前記複数の照明器具のうち所定の照明器具に向けて音を発信し、
前記所定の照明器具にて、前記情報端末から発信された前記音を受信し、前記音に含まれる音波データが前記所定の照明器具に予め保存されている音波データと一致する場合に、前記所定の照明器具と前記親機コントローラとのペアリングを行う
照明システムのペアリング方法。
【発明の詳細な説明】
【技術分野】
【０００１】
本発明は、照明器具、この照明器具を備える照明システム、および、照明システムのペアリング方法に関する。
【背景技術】
【０００２】
従来、照明器具の点灯を制御する照明システムが知られている。この種の照明システムの一例として、特許文献１には、照明雰囲気を自動的に形成するシステムが記載されている。このシステムでは、例えば、ディスプレイに表示された画像を捕捉する指令を、リモートコントローラの赤外線通信によって受信し、捕捉した画像を照明雰囲気の自動形成に使用している。
【先行技術文献】
【特許文献】
【０００３】
【特許文献１】特表２０１０−５２５５３８号公報
【発明の概要】
【発明が解決しようとする課題】
【０００４】
しかしながら、特許文献１に記載されているシステムでは、赤外線通信によって指令を受信しているので、このシステムとリモートコントローラとの間に赤外線を遮る構造物が存在する場合は、この指令を受信することができない場合がある。このような問題は、赤外線通信を使ってリモートコントローラから照明器具に指令を送信し、その指令をきっかけとしてシステム内でのペアリングを行う照明器具についても同様に起こり得る。
【０００５】
そこで、本発明は、ペアリングを確実に行うことができる照明器具等を提供する。
【課題を解決するための手段】
【０００６】
本発明の照明器具の一態様は、光源と、予め決められた音波データを記憶する記憶部と、音を検知するマイクロフォンと、親機コントローラと通信する通信部と、前記通信部を介して前記親機コントローラとペアリングを行う制御部とを備え、前記制御部は、前記マイクロフォンで検知した前記音から音波データを取得し、前記取得した音波データと前記記憶部に記憶されている音波データとが一致する場合に、前記ペアリングを行う。
【０００７】
また、本発明の照明システムの一態様は、音を発信する情報端末と、複数の照明器具と、前記複数の照明器具を制御する親機コントローラとを備える照明システムであって、前記複数の照明器具のそれぞれは、光源と、予め決められた音波データを記憶する記憶部と、前記情報端末から発信される前記音を検知するマイクロフォンと、前記親機コントローラと通信する通信部と、前記通信部を介して前記親機コントローラとペアリングを行う制御部とを有し、前記照明器具の前記制御部は、前記マイクロフォンで検知した前記音から音波データを取得し、前記取得した音波データと前記記憶部に記憶されている音波データとが一致する場合に、前記ペアリングを行う。
【０００８】
また、本発明の照明システムのペアリング方法の一態様は、情報端末と、複数の照明器具と、前記複数の照明器具を制御する親機コントローラとを備える照明システムのペアリング方法であって、前記情報端末を用いて、前記複数の照明器具のうち所定の照明器具に向けて音を発信し、前記所定の照明器具にて、前記情報端末から発信された前記音を受信し、前記音に含まれる音波データが前記所定の照明器具に予め保存されている音波データと一致する場合に、前記所定の照明器具と前記親機コントローラとのペアリングを行う。
【発明の効果】
【０００９】
照明器具のペアリングを確実に行うことができる。
【図面の簡単な説明】
【００１０】
【図１Ａ】実施の形態に係る照明システムであって、照明システムが備える照明器具、親機コントローラおよび情報端末を示す概略図である。
【図１Ｂ】実施の形態に係る照明器具を上側から見た場合の照明器具の配置図である。
【図２】実施の形態に係る照明システムにおける照明器具、親機コントローラおよび情報端末の制御構成を示すブロック図である。
【図３】実施の形態に係る照明器具を模式的に示す断面図である。
【図４】実施の形態に係る情報端末を示す概略図である。
【図５】実施の形態に係る照明システムのペアリング方法を示すフローチャートである。
【図６】図１Ｂに示す照明器具の点灯状態を示す図である。
【図７】実施の形態に係る情報端末、照明器具、親機コントローラのそれぞれに記憶されているアドレス情報を示す図である。
【図８】実施の形態の変形例１における照明システムのペアリング方法を示すフローチャートのである。
【図９】実施の形態の変形例２における照明システムのペアリング方法を示すフローチャートのである。
【発明を実施するための形態】
【００１１】
以下、実施の形態に係る照明システムおよび照明器具について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態）
［１．照明システムの全体構成］
図１Ａは、実施の形態に係る照明システム１００であって、照明システム１００が備える照明器具、親機コントローラ３０および情報端末２０示す図である。図１Ｂは、照明器具を上側から見た場合の照明器具の配置図である。
【００１４】
照明システム１００は、複数の照明器具Ｌ１１、Ｌ１２、Ｌ１３、Ｌ２１、Ｌ２２、Ｌ２３、Ｌ３１、Ｌ３２、Ｌ３３と、親機コントローラ３０と、情報端末２０とを備える。なお、図１Ａでは３台の照明器具Ｌ１１〜Ｌ１３が示され、図１Ｂでは９台の照明器具Ｌ１１〜Ｌ３３が示されているが、これらの図は一例であり、実際は建物の天井９０などに１００台以上の照明器具が設置されることがある。以下、照明器具Ｌ１１〜Ｌ３３を総称して照明器具Ｌと呼ぶ場合がある。
【００１５】
まず、図１Ａを参照しながら、照明システム１００を構成する複数の照明器具Ｌ、親機コントローラ３０および情報端末２０の通信系統について説明する。
【００１６】
複数の照明器具Ｌのそれぞれと、親機コントローラ３０とは、無線ｒ１によって通信可能となっている。無線ｒ１による通信方式としては、９２０ＭＨｚ帯または２．４ＧＨｚ帯の周波数を利用した特定小電力無線、Zigbee（登録商標）、Bluetooth（登録商標）、または、WiFi（登録商標）などの方式が用いられる。なお、照明器具Ｌと親機コントローラ３０とが有線ネットワークを形成し、互いに通信可能であってもよい。
【００１７】
情報端末２０と親機コントローラ３０とは、無線ｒ２によって通信可能となっている。無線ｒ２による通信方式としては、無線ｒ１と同様の方式が用いられる。なお、情報端末２０と親機コントローラ３０とは、ＵＳＢなどの接続端子により有線で通信できるようになっていてもよい。
【００１８】
情報端末２０は、スピーカ２７を介して音ｓｗを発信する。この音ｓｗには、照明器具Ｌのそれぞれと親機コントローラ３０とがペアリングを開始するきっかけとなる音波データが含まれている。照明器具Ｌのそれぞれは、マイクロフォン１２を有し、情報端末２０から発信された音ｓｗを検知する。例えば、図１Ｂに示されるように、複数の照明器具Ｌ１１〜Ｌ３３は、発信された音ｓｗを個別に検知することができるように、５ｍまたは１０ｍのピッチで行列状に設置されている。
【００１９】
本実施の形態の照明システム１００では、例えば、照明器具Ｌ１１の近くに情報端末２０を配置し、照明器具Ｌ１１に向けて音ｓｗを発信することで、照明器具Ｌ１１が音ｓｗに含まれる音波データを取得する。そして、この音波データの取得をきっかけとして、照明器具Ｌ１１が親機コントローラ３０とペアリングを開始するように構成されている。
【００２０】
［２．照明システムの各構成］
次に、照明システム１００を構成する照明器具Ｌ、情報端末２０および親機コントローラ３０のそれぞれについて説明する。
【００２１】
図２は、照明システム１００における照明器具Ｌ１１、情報端末２０および親機コントローラ３０の制御構成を示すブロック図である。図３は、照明器具Ｌ１１を模式的に示す断面図である。なお、図２および図３では、照明器具Ｌ１１〜Ｌ３３のうち、照明器具Ｌ１１を代表例に挙げて示している。
【００２２】
照明器具Ｌ１１は、図２に示されるように、記憶部１６を含む制御部１５、制御部１５に接続されている光源１７、通信部１１およびマイクロフォン１２を備えている。
【００２３】
光源１７は、例えば、白色光、赤色光、緑色光または青色光を発する複数の発光ダイオードを含んでいる。照明器具Ｌ１１は、例えば、シーリングライトであり、建物の造営材の一例である天井９０などに設置される。なお、照明器具Ｌ１１は、棒状のＬＥＤ（light  emitting  diode）ライトであってもよい。
【００２４】
また、照明器具Ｌ１１は、図３に示されるように、開口部を有するケース１８と、ケース１８の開口部に設けられるグローブ１９とを備えている。ケース１８の内部には、光源１７およびマイクロフォン１２が設けられている。ケース１８の外側には、制御部１５および通信部１１が設けられている。なお、制御部１５および通信部１１は、ケース１８の内部に設けられていてもよい。
【００２５】
グローブ１９には、光源１７から出射された光を拡散させる拡散層が形成されている。グローブ１９は、光源１７およびマイクロフォン１２を覆うように、ケース１８に設けらている。言い換えれば、マイクロフォン１２は、グローブ１９から見て光源１７側に設けられている。
【００２６】
マイクロフォン１２は、前述したように、情報端末２０から発信された音ｓｗを検知する。マイクロフォン１２は、音ｓｗを検知可能な領域である検知領域Ａ２を有している。この検知領域Ａ２は、照明器具Ｌ１１から出射される光の照射領域Ａ１内に位置している。すなわち、マイクロフォン１２は、音ｓｗの検知領域Ａ２が光の照射領域Ａ１内に位置するように、設けられている。
【００２７】
マイクロフォン１２で検知する音ｓｗは、例えば２０Ｈｚ以上２０ｋＨｚ以下の可聴音である。この音ｓｗの中には、照明器具Ｌ１１と親機コントローラ３０とがペアリングを開始するきっかけとなる音波データが含まれている。また、マイクロフォン１２は、受信した音ｓｗの音波データの音圧を検出することもできる。
【００２８】
制御部１５は、光源１７を調光制御および／または調色制御する。制御部１５は、ＣＰＵ（central  processing  unit）と、記憶部１６であるＲＡＭ（Random  Access  Memory）およびＲＯＭ（read  only  memory）などによって構成されている。
【００２９】
記憶部１６には、照明器具Ｌ１１のＭＡＣアドレス（Media  Access  Control  address）またはＵＤＩＤ（Unique  Device  IDentifier）などの識別情報（ＩＤ）が保存されている。また、記憶部１６には、予め決められた音波データが保存されている。音波データは、例えば、音声波形または周波数スペクトルによって規定されるデータであり、照明器具Ｌ１１の製造時に記憶部１６に書き込まれる。記憶部１６に書き込まれる音波データは、照明器具Ｌ１１〜Ｌ３３で共通している。なお、記憶部１６に保存される音波データは、１つに限られず、複数種類の音波データであってもよい。
【００３０】
制御部１５は、マイクロフォン１２で検知した音から音波データを取得する。具体的には、制御部１５は、ノイズキャンセル機能を有しており、外部にて発生するノイズをキャンセルし、音波データを取得する。ノイズは、例えばエアコンディショナーなどの室内環境音であり、制御部１５は、逆位相をかけてノイズをキャンセルする。また、制御部１５は、バンドパスフィルタを用いてノイズをキャンセルし、必要な音波データを取得してもよい。
【００３１】
制御部１５は、取得した音波データと記憶部１６に記憶されている音波データとの比較を行い、これらの音波データが一致する場合に、親機コントローラ３０とのペアリングを行う。ペアリングは、アンテナおよび無線モジュールなどにより構成される通信部１１を介して行われる。制御部１５は、ペアリングを行う際、記憶部１６に記憶されている識別情報（ＩＤ）を読み出し、読み出した識別情報を通信部１１を介して親機コントローラ３０に送信する。また、制御部１５は、通信部１１を介して親機コントローラ３０の識別情報を受信し、受信した識別情報を記憶部１６に書き込む。このように、照明器具Ｌ１１と親機コントローラ３０とが相手の識別情報を把握することで、ペアリングが成立する。
【００３２】
制御部１５は、親機コントローラ３０とのペアリングを行う前には、光源１７を全灯させ、ペアリングを行っている最中には、周囲から見てペアリング中であることがわかるように光源１７を明暗（点滅）させ、ペアリングが終了した際には、光源１７を消灯させる。すなわち、制御部１５は、ペアリングが終了した場合に、ペアリングを行う前の点灯状態と異なるように、光源１７を制御する。
【００３３】
図４は、情報端末２０を示す概略図である。
【００３４】
情報端末２０は、例えばタブレット端末やスマートフォンであり、本実施の形態では、ペアリングを開始するきっかけとなる音ｓｗを発信する機器である。情報端末２０は、記憶部２６を有する制御部２５、制御部２５に接続されている通信部２１、表示入力部２３、スピーカ２７および位置センサ２２を備えている。
【００３５】
制御部２５は、ＣＰＵと、記憶部２６であるＲＡＭおよびＲＯＭなどにより構成されている。記憶部２６には、照明器具Ｌ１１と親機コントローラ３０とがペアリングを開始するきっかけとなる音波データが記憶されている。また、記憶部２６には、照明器具Ｌ１１〜Ｌ３３の番号、および、建物内における照明器具Ｌ１１〜Ｌ３３のレイアウト情報などが記憶されている。
【００３６】
位置センサ２２は、例えばＧＰＳ（global  positioning  system）センサであり、情報端末２０の位置を検出して制御部２５に出力する。例えば、情報端末２０を照明器具Ｌ１１の真下に配置し、情報端末２０の位置を位置センサ２２にて検出することで、これからペアリングを行う照明器具Ｌ１１の位置情報を制御部２５に出力することができる。
【００３７】
表示入力部２３は、例えばタッチパネルであり、図４に示されるように、記憶部２６に記憶されている照明器具Ｌ１１〜Ｌ３３の位置に対応してアイコンｉ１１〜ｉ３３が行列状に表示される。また、表示入力部２３には、アイコンｉ１１〜ｉ３３を使って、建物の基準位置ｓｐから照明器具Ｌ１１〜Ｌ３３までの距離、または、照明器具Ｌ１１〜Ｌ３３の点灯状態などが表示される。
【００３８】
アイコンｉ１１〜ｉ３３は操作キーであり、例えば、所定のアイコンｉ１１がタッチされることで、これからペアリングする照明器具Ｌ１１が選択される。照明器具Ｌ１１が選択された状態で表示入力部２３の操作キーｋ１が押下されると、スピーカ２７から音ｓｗを発信するように構成されている。
【００３９】
スピーカ２７は、音波データを含む音ｓｗを発信する。情報端末２０から発信される音ｓｗは、情報端末２０から照明器具Ｌ１１への一方向通信である。スピーカ２７から出力される音ｓｗは、例えば２０Ｈｚ以上２０ｋＨｚ以下の可聴音であり、記憶部２６に記憶されている音波データが含まれている。また、音ｓｗの中には、これからペアリングを行う照明器具Ｌの番号および照明器具Ｌの位置などのアドレス情報の一部が含まれている。このように、音波データおよびアドレス情報を伝達する手段として、回折性を有する音ｓｗを用いることで、情報端末２０と照明器具Ｌ１１との間に障害物が存在する場合でも、必要な音波データやアドレス情報を伝達することができる。
【００４０】
通信部２１は、アンテナおよび無線モジュールなどにより構成されている。制御部２５は、通信部２１を介して親機コントローラ３０と通信可能になっている。ペアリング終了後、情報端末２０は、親機コントローラ３０から照明器具Ｌ１１および親機コントローラ３０のアドレス情報を受信する。アドレス情報には、照明器具Ｌ１１の番号、位置および識別情報と、親機コントローラ３０の識別情報とが含まれている（図７参照）。
【００４１】
親機コントローラ３０は、照明器具Ｌそれぞれの点灯制御を行う管理サーバである。親機コントローラ３０は、図２に示されるように、記憶部３６を有する制御部３５と、制御部３５に接続されている通信部３１ａおよび３１ｂとを備えている。なお、通信部３１ａおよび３１ｂは、親機コントローラ３０の本体の外部に設けらていてもよい。
【００４２】
制御部３５は、ＣＰＵと、記憶部３６であるＲＡＭおよびＲＯＭなどにより構成される。記憶部３６は、照明器具Ｌとのペアリングを行うにあたり、自身の識別情報の読み出しまたは照明器具Ｌが有するアドレス情報の書き込みが行われる。
【００４３】
通信部３１ａは、照明器具Ｌ１１のそれぞれと無線ｒ１で通信する。ペアリングが行われる際、制御部３５は、通信部３１ａを介して、ペアリング相手である照明器具Ｌ１１のアドレス情報を取得し、また、親機コントローラ３０の識別情報をペアリング相手である照明器具Ｌ１１に送信する。
【００４４】
通信部３１ｂは、情報端末２０と無線ｒ２で通信する。ペアリングが終了すると、制御部３５は、通信部３１ｂを介して、各照明器具Ｌ１１から取得したアドレス情報および自身の識別情報を情報端末２０に送信する。これにより、親機コントローラ３０と情報端末２０とで、アドレス情報を共有することができる。
【００４５】
［３．照明システムのペアリング方法］
次に、照明システム１００のペアリング方法について具体的に説明する。
【００４６】
図５は、照明システム１００のペアリング方法を示すフローチャートである。図６は、照明器具Ｌ１１〜Ｌ３３の点灯状態を示す図であって、（ａ）はペアリング開始前、（ｂ）はペアリング中、（ｃ）はペアリング終了後の各照明器具Ｌの点灯状態を示す図である。
【００４７】
照明器具Ｌを天井９０に設置した後、照明器具Ｌの電源をＯＮすると、図６の（ａ）に示されるように、照明器具Ｌは全灯状態となる。この段階では、親機コントローラ３０は、各照明器具Ｌの識別情報を把握しておらず、照明器具Ｌの点灯を制御することができない。そこで、図５に示すフローにて、親機コントローラ３０と各照明器具Ｌとのペアリングを行い、照明器具Ｌの点灯制御を可能とする。
【００４８】
まず、情報端末２０を用いて、ペアリングを行う照明器具Ｌを選択する（Ｓ１１）。また、選択した照明器具Ｌの位置情報を取得する（Ｓ１２）。例えば、ユーザが、情報端末２０を照明器具Ｌ１１の真下に配置した状態（図１Ａ参照）で、情報端末２０に表示されているアイコンｉ１１をタッチする。これにより、アイコンｉ１１に対応する照明器具Ｌ１１を選択する。また、アイコンｉ１１をタッチすることで、情報端末２０の現在位置が位置センサ２２にて検出される。情報端末２０は照明器具Ｌ１１の真下に配置されているので、位置センサ２２にて検出された位置を、照明器具Ｌ１１の位置とみなすことができる。これにより、照明システム１００は、選択した照明器具Ｌ１１の位置情報を取得することが可能となる。
【００４９】
図７は、情報端末２０、照明器具Ｌ１１〜Ｌ３３、親機コントローラ３０のそれぞれに記憶されているアドレス情報を示す図である。アドレス情報には、図７の各表Ｔ１２〜Ｔ１９に示されるように、照明器具Ｌの番号、位置および識別情報、ならびに、親機コントローラ３０の識別情報などが含まれている。照明器具Ｌの番号は、各照明器具Ｌを区別するためにユーザが決める番号である。照明器具Ｌの位置は、位置センサ２２の位置に基づいて得られる照明器具Ｌの位置である。
【００５０】
ステップＳ１２を終えた段階では、情報端末２０にアドレス情報のうちの照明器具Ｌの番号および位置に関する情報が記憶される。例えば、図７の表Ｔ１２に示されるように、情報端末２０に、照明器具Ｌ１１の番号として「Ｌ１１」、照明器具Ｌ１１の位置として「（１００，１００）」という情報が記憶される。
【００５１】
次に、情報端末２０の操作キーｋ１を押して、照明器具Ｌ１１に向けて音ｓｗを発信する（Ｓ１３）。この音ｓｗには、前述したように、予め決められた音波データが含まれている。また、この音ｓｗには、照明器具Ｌ１１の番号および位置に関する情報が含まれている。
【００５２】
次に、照明器具Ｌ１１は、情報端末２０から発信された音ｓｗを受信する（Ｓ１４）。具体的には、照明器具Ｌ１１のマイクロフォン１２は、情報端末２０から発信された音ｓｗを検知し、制御部１５は、マイクロフォン１２で検知した音ｓｗから音波データを取得する。検知した音ｓｗにノイズが入っている場合は、制御部１５はノイズをキャンセルし、必要な音波データを抽出する。
【００５３】
次に、制御部１５は、取得した音波データが、予め記憶部１６に記憶されている音波データと一致するか否かを判断する（Ｓ１５）。これらの音波データが一致するか否かは、互いの音声波形または周波数スペクトルを比較して判断することができる。音波データが一致しない場合（Ｓ１５のＮｏ）、ペアリングは行われない。
【００５４】
音波データが一致する場合（Ｓ１５のＹｅｓ）、制御部１５は、音ｓｗに含まれる照明器具Ｌ１１の番号および位置に関する情報を受け入れ、それらの情報を記憶部１６に記憶する（図７の表Ｔ１５参照）。また、音波データが一致する場合、制御部１５は、親機コントローラ３０とのペアリングを開始する（Ｓ１６）。ペアリング中では、図６の（ｂ）に示されるように、照明器具Ｌ１１は、点滅状態となるか、色温度が変化するか、明るさが変わるなど初期状態と異なる点灯状態にしてペアリング中であることを表現する。
【００５５】
ペアリングを行うため、制御部１５は、通信部１１を介して、照明器具Ｌ１１の番号「Ｌ１１」、位置（１００，１００）および自身の識別情報「ａ］を親機コントローラ３０に送信する。また、親機コントローラ３０は、通信部３１ａを介して、自身の識別情報「Ａ」を照明器具Ｌ１１に送信する。このように、照明器具Ｌ１１と親機コントローラ３０とが識別情報を互いに送信し合うことで、照明器具Ｌ１１と親機コントローラ３０とのペアリングが成立する（図７の表Ｔ１６ａおよび１６ｂ参照）。
【００５６】
ペアリングが終了すると、照明器具Ｌ１１は点灯状態を変更する（Ｓ１７）。具体的には、図６の（ｃ）に示されるように、制御部１５は、光源１７をペアリング中の状態から異なる状態に変更し、ペアリングを終えた照明器具Ｌ１１をユーザが視覚的に把握できるようにする。
【００５７】
次に、情報端末２０は、親機コントローラ３０からアドレス情報を取得する（Ｓ１８）。
【００５８】
具体的には、情報端末２０は、親機コントローラ３０からアドレス情報として、照明器具Ｌ１１の番号「Ｌ１１」、位置（１００，１００）、識別情報「ａ」、および、親機コントローラ３０の識別情報「Ａ」を対応づけた状態で取得する。そして、制御部２５は、取得したアドレス情報を記憶部２６に記憶し、また、表示入力部２３に表示する。
【００５９】
ここで、この音ｓｗに照明器具Ｌ１１の番号のみの情報が含まれている場合について説明する。
【００６０】
この場合、ステップＳ１１〜Ｓ１６までは上記と同じで、ペアリング中は、図６の（ｂ）に示されるように、照明器具Ｌ１１は、点滅状態となるか、色温度が変化するか、明るさが変わるなど初期状態と異なる点灯状態にしてペアリング中であることを表現する。
【００６１】
ペアリングを行うため、制御部１５は、通信部１１を介して、照明器具Ｌ１１の番号「Ｌ１１」、自身の識別情報「ａ」を親機コントローラ３０に送信する。また、親機コントローラ３０は、通信部３１ａを介して、自身の識別情報「Ａ」を照明器具Ｌ１１に送信する。その後、親機コントローラ３０は、無線ｒ２により情報端末２０と通信し、位置情報（例えば照明器具Ｌ１１の位置（１００，１００））を取得することでペアリングが成立する。
【００６２】
ペアリングが終了すると、照明器具Ｌ１１は点灯状態を変更する（Ｓ１７）。具体的には、図６の（ｃ）に示されるように、制御部１５は、光源１７をペアリング中の状態から異なる状態に変更し、ペアリングを終えた照明器具Ｌ１１をユーザが視覚的に把握できるようにする。
【００６３】
次に、情報端末２０は、親機コントローラ３０からアドレス情報を取得する（Ｓ１８）。
【００６４】
具体的には、情報端末２０は、親機コントローラ３０からアドレス情報として、照明器具Ｌ１１の番号「Ｌ１１」、位置（１００，１００）、識別情報「ａ」、および、親機コントローラ３０の識別情報「Ａ」を対応づけた状態で取得する。そして、制御部２５は、取得したアドレス情報を記憶部２６に記憶し、また、表示入力部２３に表示する。
【００６５】
ここで、図５に示すフローチャートに戻って次のステップを説明する。
【００６６】
次のステップでは、全ての照明器具Ｌについてペアリングを終了したか否かを判断する（Ｓ１９）。ペアリングが終了していない場合は（Ｓ１９のＮｏ）、ペアリング済みの照明器具Ｌ（例えばＬ１１）と異なる他の照明器具Ｌ（例えばＬ１２〜Ｌ３３）に対してステップＳ１１〜Ｓ１８を実行し、親機コントローラ３０とのペアリングを行う。ペアリングが全て終了した場合は（Ｓ１９のＹｅｓ）、この照明システム１００におけるペアリングを終了する。これにより、図７の表Ｔ１９に示されるように、全ての照明器具Ｌのアドレス情報が親機コントローラ３０に保存され、親機コントローラ３０は、このアドレス情報に基づいて照明器具Ｌの点灯を制御することができる。
【００６７】
［４．効果等］
本実施の形態に係る照明器具Ｌ（例えば照明器具Ｌ１１）では、光源１７と、予め決められた音波データを記憶する記憶部１６と、音ｓｗを検知するマイクロフォン１２と、親機コントローラ３０と通信する通信部１１と、通信部１１を介して親機コントローラ３０とペアリングを行う制御部１５とを備え、制御部１５は、マイクロフォン１２で検知した音ｓｗから音波データを取得し、取得した音波データと記憶部１６に記憶されている音波データとが一致する場合に、ペアリングを行う。
【００６８】
このように、照明器具Ｌ１１がマイクロフォン１２を備えることで、音ｓｗに含まれる音波データを取得し、これをきっかけとして照明器具Ｌ１１と親機コントローラ３０とのペアリングを行うことができる。例えば、外部から発信される音ｓｗが、障害物で遮られていたり、照明器具Ｌ１１と多少異なる方向に発信されたりする場合であっても、音ｓｗを利用することで、ペアリングを確実に行うことができる。
【００６９】
また、照明器具Ｌ１１は、さらに、光源１７を覆うように配置されたグローブ１９を備え、マイクロフォン１２は、グローブ１９から見て光源１７側に設けられていてもよい。
【００７０】
これによれば、マイクロフォン１２の外観が目立たなくなり、人に与える不快感を抑制することができる。
【００７１】
また、マイクロフォン１２は、マイクロフォン１２の音ｓｗを検知する検知領域Ａ２が照明器具Ｌ１１の光の照射領域Ａ１内に位置するように、設けられていてもよい。
【００７２】
これによれば、例えば外部から発信される音ｓｗをマイクロフォン１２を用いて確実に検知することができる。
【００７３】
また、制御部１５は、ペアリングが終了した場合に、ペアリングを行う前の点灯状態と異なる点灯状態となるように、光源１７を制御してもよい。
【００７４】
これによれば、ユーザが、ペアリングを終えた照明器具Ｌを視覚的に把握できる。
【００７５】
また、制御部１５は、マイクロフォン１２で検知した音ｓｗからノイズをキャンセルし、音波データを取得してもよい。
【００７６】
このように、ノイズをキャンセルすることで、制御部１５が確実に音波データを取得することができる。
【００７７】
本実施の形態に係る照明システム１００は、音ｓｗを発信する情報端末２０と、複数の照明器具Ｌと、複数の照明器具Ｌを制御する親機コントローラ３０とを備える。複数の照明器具Ｌのそれぞれは、光源１７と、予め決められた音波データを記憶する記憶部１６と、情報端末２０から発信される音ｓｗを検知するマイクロフォン１２と、親機コントローラ３０と通信する通信部１１と、通信部１１を介して親機コントローラ３０とペアリングを行う制御部１５とを有する。照明器具Ｌの制御部１５は、マイクロフォン１２で検知した音ｓｗから音波データを取得し、取得した音波データと記憶部１６に記憶されている音波データとが一致する場合に、ペアリングを行う。
【００７８】
このように、照明システム１００の照明器具Ｌのそれぞれがマイクロフォン１２を備えていることで、音ｓｗに含まれる音波データを取得し、これをきっかけとして各照明器具Ｌと親機コントローラ３０とのペアリングを行うことができる。例えば、外部から発信される音ｓｗが、障害物で遮られていたり、照明器具Ｌと多少異なる方向に発信されたりする場合であっても、音ｓｗを利用することでペアリングを確実に行うことができる。
【００７９】
また、情報端末２０は、情報端末２０の位置を検出する位置センサ２２を有し、位置センサ２２の位置情報に基づいて得られる照明器具Ｌの位置情報を音ｓｗに含めて発信し、照明器具Ｌの制御部１５は、マイクロフォン１２で検知した音ｓｗに含まれる照明器具Ｌの位置情報を、通信部１１を介して親機コントローラ３０に送信してもよい。
【００８０】
このように、照明器具Ｌの位置情報を、親機コントローラ３０に伝達することで、親機コントローラ３０が、照明器具Ｌの位置を把握した状態で照明器具Ｌの点灯を制御することができる。
【００８１】
また、情報端末２０は、情報端末２０の位置を検出する位置センサ２２を有し、位置センサ２２の位置情報に基づいて得られる照明器具Ｌの位置情報を親機コントローラ３０からの要求により発信し、照明器具Ｌの位置情報を、親機コントローラ３０に送信してもよい。
【００８２】
このように、照明器具Ｌの位置情報を、親機コントローラ３０に伝達することで、親機コントローラ３０が、照明器具Ｌの位置を把握した状態で照明器具Ｌの点灯を制御することができる。
【００８３】
本実施の形態に係る照明システム１００のペアリング方法は、情報端末２０と、複数の照明器具Ｌと、複数の照明器具Ｌを制御する親機コントローラ３０とを備える照明システム１００のペアリング方法であって、情報端末２０を用いて、複数の照明器具Ｌのうち所定の照明器具（例えば照明器具Ｌ１１）に向けて音ｓｗを発信し、所定の照明器具Ｌ１１にて、情報端末２０から発信された音ｓｗを受信し、音ｓｗに含まれる音波データが所定の照明器具Ｌ１１に予め保存されている音波データと一致する場合に、所定の照明器具Ｌ１１と親機コントローラ３０とのペアリングを行う。
【００８４】
これによれば、音ｓｗに含まれる音波データを取得し、これをきっかけとして照明器具Ｌ１１と親機コントローラ３０とのペアリングを行うことができる。例えば、外部から発信される音ｓｗが、障害物で遮られていたり、照明器具Ｌ１１と多少異なる方向に発信されたりする場合であっても、音ｓｗを利用することでペアリングを確実に行うことができる。
【００８５】
［５．実施の形態の変形例１］
次に、実施の形態の変形例１における照明システム１００Ａについて説明する。変形例１の照明システム１００Ａは、ペアリングを行う照明器具Ｌ１１の位置が、レイアウト情報に基づく照明器具Ｌ１１の位置と一致している場合にペアリングを行う。これにより、ペアリングの確実性を高めている。
【００８６】
図８は、照明システム１００Ａのペアリング方法を示すフローチャートである。
【００８７】
照明システム１００Ａでは、まず、情報端末２０を用いて、ペアリングを行う照明器具Ｌ１１を選択する（Ｓ１１）。また、選択した照明器具Ｌ１１の位置情報を取得する（Ｓ１２）。
【００８８】
次に、情報端末２０の制御部２５は、ペアリングを行う照明器具Ｌ１１の位置が、レイアウト情報に基づく照明器具Ｌ１１の位置と一致するか否かを判断する（Ｓ１２Ａ）。具体的には、選択した照明器具Ｌ１１について位置センサ２２で得られる位置が、記憶部２６に記憶されているレイアウト情報に基づく照明器具Ｌ１１の位置と一致するか否かを判断する。制御部２５は、互いの位置が一致しない場合は（Ｓ１２ＡのＮｏ）、スピーカ２７から音ｓｗを発信させない。
【００８９】
一方、互いの位置が一致する場合は（Ｓ１２ＡのＹｅｓ）、スピーカ２７から音波データを含む音ｓｗを発信させる（Ｓ１３）。以下、実施の形態の照明システム１００と同様にステップＳ１４〜Ｓ１９を実行する。
【００９０】
実施の形態の変形例１に係る照明システム１００Ａでは、情報端末２０は、情報端末２０の位置を検出する位置センサ２２を有し、照明器具Ｌ１１の制御部１５は、位置センサ２２の位置情報に基づいて得られる照明器具Ｌ１１の位置情報と、建物における複数の照明器具Ｌのレイアウト情報から得られる照明器具Ｌ１１の位置情報とが一致する場合に、ペアリングを行う。
【００９１】
このように、位置センサ２２に基づく照明器具Ｌの位置情報がレイアウト情報に基づく照明器具Ｌの位置情報に一致するかを確認したうえでペアリングを行うことで、親機コントローラ３０に、間違った照明器具Ｌの位置情報を与えることを抑制することができる。
【００９２】
なお、上記変形例１では、位置センサ２２およびレイアウト情報の両方に基づく照明器具Ｌ１１の位置情報が一致するか否かを情報端末２０にて判断しているが、その判断を照明器具Ｌにて行ってもよい。例えば、照明器具Ｌ１１の位置が一致するか否かの情報を音ｓｗの中に含めて発信し、制御部１５がその音ｓｗに含まれる情報から照明器具Ｌ１１の位置が一致するか否かを判断し、一致する場合にペアリングを行い、一致しない場合はペアリングを行わないようにしてもよい。
【００９３】
［６．実施の形態の変形例２］
次に、実施の形態の変形例２における照明システム１００Ｂについて説明する。変形例２の照明システム１００Ｂでは、複数の照明器具Ｌが音ｓｗを検知した場合に、取得した音圧が高い方の照明器具Ｌとペアリングを行う。これによりペアリングの確実性を高めている。
【００９４】
図９は、照明システム１００Ｂのペアリング方法を示すフローチャートである。
【００９５】
まず、情報端末２０を用いて、ペアリングを行う照明器具Ｌ１１を選択する（Ｓ１１）。また、選択した照明器具Ｌ１１の位置情報を取得する（Ｓ１２）。次に、情報端末２０は、照明器具Ｌ１１に向けて音ｓｗを発信する（Ｓ１３）。
【００９６】
ここで、２台の照明器具Ｌ１１およびＬ１２の両方が音ｓｗを検知した場合を例に挙げて説明する。照明器具Ｌ１１、Ｌ１２は、情報端末２０から発信された音ｓｗを同時に受信する（Ｓ１４）。変形例２では、制御部１５は、マイクロフォン１２で検知した音ｓｗから音波データを取得し、さらに、この音波データから音圧を取得する。
【００９７】
次に、照明器具Ｌ１１、Ｌ１２の各制御部１５は、取得した音波データが、予め各記憶部１６に記憶されている音波データと一致するか否かを判断する（Ｓ１５）。
【００９８】
次に、音波データが一致する場合、各照明器具Ｌ１１、Ｌ１２は、各通信部１１を介して、親機コントローラ３０に対してペアリングを行うように要請する。そして、親機コントローラ３０は、複数の照明器具Ｌからペアリング要請を受信しているか否かを判断する（Ｓ１５Ａ）。ここで、複数の照明器具Ｌからペアリング要請を受信していると判断した場合（Ｓ１５ＡのＮｏ）は、ステップＳ１６に移行し、複数の照明器具Ｌからペアリング要請を受信していないと判断した場合（Ｓ１５ＡのＹｅｓ）は、ステップＳ１５Ｂに移行する。本変形例では、親機コントローラ３０が２台の照明器具Ｌ１１、Ｌ１２のそれぞれから、ペアリング要請に関する信号を受信することになるので、ステップ１５Ｂに移行する。なお、このペアリング要請に関する信号の中には、照明器具Ｌ１１、Ｌ１２が検知した音ｓｗの音波データおよび音圧に関する情報が含まれている。
【００９９】
次に、親機コントローラ３０は、照明器具Ｌ１１、Ｌ１２それぞれのペアリング要請に関する信号に含まれる音圧を比較し、音圧が高い方の照明器具Ｌを、ペアリングの候補に挙げる（Ｓ１５Ｂ）。例えば、照明器具Ｌ１１の真下に情報端末２０を配置して音ｓｗを発信した場合は、照明器具Ｌ１２よりも照明器具Ｌ１１のほうが取得する音圧が高くなるので、照明器具Ｌ１１がペアリングの候補として挙げられる。
【０１００】
次に、親機コントローラ３０は、候補に挙げた照明器具Ｌ１１とのペアリングを行う（Ｓ１６）。以下、実施の形態の照明システム１００と同様にステップＳ１７〜Ｓ１９を実行する。
【０１０１】
実施の形態の変形例２に係る照明システム１００Ｂにおいて、照明器具Ｌの制御部１５は、音ｓｗに含まれる音波データの音圧を取得し、通信部１１を介して音圧に関する情報を親機コントローラ３０に送信する。親機コントローラ３０は、複数の照明器具Ｌから音圧に関する情報を取得した場合に、複数の照明器具Ｌのうち取得した音圧が高い照明器具（例えば照明器具Ｌ１１）とペアリングを行う。
【０１０２】
このように、複数の照明器具がペアリングのきっかけとなる音ｓｗを検知した場合、取得した音圧が高い方の照明器具Ｌとペアリングを行うことで、意図した照明器具Ｌと異なる照明器具Ｌがペアリングすることを抑制することができる。また、ペアリングする際に照明器具Ｌの位置情報を含めて伝達する場合は、親機コントローラ３０に間違った位置情報を与えることを抑制することができる。
【０１０３】
（その他の形態）
以上、照明システム１００、１００Ａ、１００Ｂおよび照明器具Ｌについて、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１０４】
実施の形態の照明システム１００では、ステップＳ１１で照明器具Ｌが選択された後、ステップＳ１３にて情報端末２０の操作キーｋ１を押して音ｓｗを発信しているが、それに限られない。例えば、情報端末２０は、ステップＳ１１でアイコンｉ１１がタッチされたきに、位置センサ２２に基づいて照明器具Ｌの位置情報を取得し、その取得した位置情報を音ｓｗに含めて発信してもよい。
【０１０５】
照明システム１００では、ステップＳ１５にて音波データが一致する場合にペアリングを行っているが、それに限られない。例えば、照明器具Ｌの制御部１５は、取得した音圧が所定のしきい値以下である場合に、ペアリングを行わないように判断してもよい。また、親機コントローラ３０が、照明器具Ｌから音波データを取得し、その音波データの音圧が所定のしきい値以下である場合に、ペアリングを行わないように判断してもよい。
【符号の説明】
【０１０６】
１１    通信部
１２    マイクロフォン
１５    制御部
１６    記憶部
１７    光源
１９    グローブ
２０    情報端末
２２    位置センサ
３０    親機コントローラ
１００、１００Ａ、１００Ｂ  照明システム
Ａ１    照射領域
Ａ２    検知領域
Ｌ、Ｌ１１、Ｌ１２、Ｌ１３、Ｌ２１、Ｌ２２、Ｌ２３、Ｌ３１、Ｌ３２、Ｌ３３  照明器具
ｓｗ    音
【図１Ａ】
2018186472.tif 000003
【図１Ｂ】
2018186472.tif 000004
【図２】
2018186472.tif 000005
【図３】
2018186472.tif 000006
【図４】
2018186472.tif 000007
【図５】
2018186472.tif 000008
【図６】
2018186472.tif 000009
【図７】
2018186472.tif 000010
【図８】
2018186472.tif 000011
【図９】
2018186472.tif 000012